(57)【要約】      （修正有）【課題】モーターやぜんまいの適用がなくても、使用者が加えるオープン操作力またはフォールディング操作力を機械的に回転力に変換して、巻くことができるフレキシブル表示装置を提供する。【解決手段】フレキシブルパネル１０aと、パネルの一部分が固定支持される固定ボディ２０と、パネルの曲がり自在の部分を巻きながら一側に回転力伝達のためのギヤが形成されているローラー４０aと、固定ボディに摺動支持され、ローラーが内部に組み立てられ、パネル部分を保護する保護カバー３０aと、使用者のオープン操作力、またはフォールディング操作力を回転力に変換する回転変換ネジとネジの回転をローラーの回転に伝達するギヤからなる操作力変換装置と、を含む。【選択図】図２
0003211128.tif 000002
【実用新案登録請求の範囲】
【請求項１】
曲がることが可能で、画面表示機能を遂行するフレキシブルパネルＡと、
前記フレキシブルパネルＡの一部分が固定支持される固定ボディと、
前記フレキシブルパネルＡの曲がり自在の部分を巻きながら一側に回転力伝達のためのギヤが形成されているローラーＡと、
前記固定ボディに摺動支持され、前記ローラーＡが内部に回転可能な状態で組み立てられ、前記フレキシブルパネルＡ部分を内部に保護する保護カバーＡと、
巻くことができるフレキシブル表示装置に線形的に加えられている使用者のオープン操作力、またはフォールディング操作力をネジ山の原理を用いて機械的に変換させて前記ローラーＡに回転力を作用させる操作力変換装置と、を含む、
フレキシブル表示装置。
【請求項２】
パネルの移送のための移送貫通孔が一定間隔を保ちつつ直線状に形成されていて、曲がることが可能な状態で画面表示機能を遂行するフレキシブルパネルＢと、
前記フレキシブルパネルＢの一部分が固定支持される固定ボディと、
前記移送貫通孔に連続的に係止されるスプロケット状の移送突出部が一側終端の円周面の外面に形成されており、任意の中間部分には回転力の伝達のためのギヤが形成されているローラーＢと、
前記固定ボディに摺動支持され、前記ローラーＢが内部に回転可能な状態で組み立てられ、前記ローラーＢによって方向転換された前記フレキシブルパネルＢ部分を内部に保護する保護カバーＢと、
巻くことができるフレキシブル表示装置に線形的に加えられている使用者のオープン操作力、またはフォールディング操作力をネジ山の原理を用いて機械的に変換させて前記ローラーＢに回転力を作用させる操作力変換装置と、を含む、
フレキシブル表示装置。
【請求項３】
前記操作力変換装置は、回転力の変換のためのネジ山、またはネジ山機能が遂行できる突出部が形成された貫通孔を有し、前記固定ボディの一側に組み立て固定される回転転換ネジと、前記回転転換ネジに形成されたネジ山、またはネジ山機能が遂行できる突出部に対応されるネジ山が前記固定ボディ側に位置する一側終端から前記保護カバーＡ側、または前記保護カバーＢ側に位置する一定範囲にわたる円周面に形成されており、前記保護カバーＡ側、または前記保護カバーＢ側に位置する終端には前記ローラーＡのギヤ、または前記ローラーＢのギヤに回転力を伝達するためのギヤ１が形成された回転ネジとを含むことを特徴とする請求項１又は２に記載のフレキシブル表示装置。
【請求項４】
前記固定ボディには前記回転転換ネジの固定のために前記固定ボディの一部分が除去されて形成されたネジ固定部、及び、前記回転転換ネジを経由した前記回転ネジ一部分の前記固定ボディ内部収納及び摺動支持のために前記固定ボディの一部分が除去されて形成されたネジ収納部とを含むことを特徴とする請求項１乃至２に記載のフレキシブル表示装置。
【請求項５】
前記保護カバーＡまたは前記保護カバーＢは、前記回転ネジの相対的な位置の流動による前記ギヤ１と、前記ローラーＡのギヤ空回りすることの発生防止または前記ギヤ１と前記ローラーＢのギヤ空回りすることの発生防止のために、前記回転ネジの前記ギヤ１の下段部分を係止固定させるネジ係止固定部とを含むことを特徴とする請求項１乃至２に記載のフレキシブル表示装置。
【請求項６】
前記フレキシブル表示装置は、前記フレキシブル表示装置のオープンまたはフォールディングの操作時、前記操作力変換装置と力のバランスを保って前記保護カバーＡまたは前記保護カバーＢが一側に傾くことなく、オープンの終了時に前記保護カバーＡまたは前記保護カバーＢが前記固定ボディから分離されて離脱されないように一側の終端は、前記固定ボディに摺動可能な状態で組み立てて支持され、反対側の終端は、前記保護カバーＡまたは前記保護カバーＢの一側に固定されるガイド摺動ピンを含むことを特徴とする請求項１乃至２に記載のフレキシブル表示装置。
【請求項７】
前記フレキシブル表示装置は、前記固定ボディまたは前記保護カバーＡまたは前記保護カバーＢのいずれか一方に適用されて前記フレキシブル表示装置のオープン程度を感知して使用者に多様な画面表示モードを提供可能にする距離センサーを含むことを特徴とする請求項１乃至２に記載のフレキシブル表示装置。
【請求項８】
前記回転ネジは、前記ネジ係止固定部に前記回転ネジの前記ギヤ１の下段部分が回転可能な状態で係止固定される位置固定係止突起を含むことを特徴とする請求項３に記載のフレキシブル表示装置。
【考案の詳細な説明】
【技術分野】
【０００１】
本考案は、巻くことができるフレキシブル表示装置に関するものであって、巻くことができるフレキシブル表示装置を使用者がオープンしたり、または巻く時使用者によって線形的に加えられる使用者のオープン操作力またはフォールディング操作力をネジ山の原理を用いてローラーの回転力に変換伝達させる操作力変換装置を備えた巻くことができるフレキシブル表示装置に関するものである。
【背景技術】
【０００２】
表示装置は、映像機器及び通信機器を含む電子装置において重要な部分を占めており、使用者の携帯利便性ニーズの増大及びフレキシブルパネルの技術発展により、現在一定程度曲がっている状態を維持している曲面形フレキシブル表示装置が発売されており、巻くことができるフレキシブル表示装置及び折り畳みのできるフレキシブル表示装置に関する多数の特許が提示されている。
【０００３】
しかし、既存の提示された特許の場合、フレキシブルパネルを巻くという機能を遂行するのに必須的に要求されるローラーの駆動力の発生方法に対する提示は微々たるものである。モーターを使用する方法、ぜんまいを適用した方法が提示されているが、フレキシブル表示装置の特性上、ますます小型化しており、バッテリー容量の問題が提起されている理由によって、モーターの適用が困難な問題点や、ぜんまいはぜんまいの時効機能喪失の問題、空間確保の問題および回転力調節の問題が発生し得るが、未だ適確な解決策が示されていない。このため、モーターまたはぜんまいによるローラーの回転力発生方法ではない新たな代案の提示が要求されている。
【考案の概要】
【考案が解決しようとする課題】
【０００４】
本考案が成し遂げようとする技術的課題は、第一、巻くことができるフレキシブル表示装置を巻き、または広げる時、モーターやぜんまいの適用がなくても巻くことができるフレキシブル表示装置に使用者によって線形的に加えられるオープン操作力またはフォールディング操作力を内部構成品を介して機械的に伝達し、線形的に加えられた操作力を機械的方法を通じて回転力に変換して、機械的咬持方法を適用して内部に備えられたローラーがオープン程度に応じて自然的に回転される巻くことができるフレキシブル表示装置を提供することにある。
【０００５】
第二に、巻くことができるフレキシブル表示装置のオープンまたはフォールディング操作力の適用時、使用者のオープンまたはフォールディングの速度に応じて前記ローラーの回転速度が同期化されてフレキシブルパネルの損傷なく常に自動的に張力が一定状態に保持されるフレキシブル表示装置を提供することにある。
【課題を解決するための手段】
【０００６】
前記技術的課題を達成するための本考案の一実施例によると、曲がることができて、画面表示機能を遂行するフレキシブルパネルＡ、前記フレキシブルパネルＡの一部分が固定支持される固定ボディ、前記フレキシブルパネルＡの曲がり自在の部分を巻きながら一側に回転力伝達のためのギヤが形成されているローラーＡ、前記固定ボディに摺動支持され、前記ローラーＡが内部に回転可能な状態で組み立てられ、前記フレキシブルパネルＡ部分を内部に保護する保護カバーＡ、及び巻くことができるフレキシブル表示装置に線形的に加えられる使用者のオープン操作力またはフォールディング操作力を機械的に変換させて前記ローラーＡに回転力を作用させる操作力変換装置を含むことができる。
【０００７】
本考案の他の実施例によると、パネルの移送のための移送貫通孔が一定間隔を保ちつつ直線状に形成されており、曲がることができる状態で画面表示機能を遂行するフレキシブルパネルＢ、前記フレキシブルパネルＢの一部分が固定支持される固定ボディ、前記移送貫通孔に連続的に係止されるスプロケット状の移送突出部が一側終端の円周面の外面に形成されており、任意の中間部分には回転力伝達のためのギヤが形成されているローラーＢ、前記固定ボディに摺動支持され、前記ローラーＢが内部に回転可能な状態で組み立てられ、前記ローラーＢによって方向転換された前記フレキシブルパネルＢ部分を内部に保護する保護カバーＢ及び巻くことができるフレキシブル表示装置に線形的に加えられる使用者のオープン操作力またはフォールディング操作力を機械的に変換させて前記ローラーＢに回転力を作用させる操作力変換装置を含むことができる。
【０００８】
前記操作力変換装置は、回転力変換のためのネジ山またはネジ山機能を遂行することができる突出部が形成された貫通孔を有し、前記固定ボディの一側に組み立て固定される回転転換ネジ及び前記回転転換ネジに形成されたネジ山またはネジ山機能を遂行することができる突出部に対応されるネジ山が前記固定ボディ側に位置する一側終端から前記保護カバーＡ側または前記保護カバーＢ側に位置する一定範囲にわたる円周面に形成されており、前記保護カバーＡ側または前記保護カバーＢ側に位置する終端には前記ローラーＡのギヤまたは前記ローラーＢのギヤに回転力を伝達するためのギヤ１が形成された回転ネジを含むことができる。
【考案の効果】
【０００９】
上述の構成により、本考案は以下の効果を奏する。
【００１０】
操作力変換装置が備えられた巻くことができるフレキシブル表示装置は、使用者のオープン操作時、ローラーＡまたはローラーＢをモーター、モーター関連の構成品、及びモーター制御部がなくても操作力変換装置によって駆動させることができるため、パッケージング空間の節約、構成部品の減少によるコスト節減、及び重量減少、バッテリー消耗時間の延長等の長所を有する。
【００１１】
また、巻くことができるフレキシブル表示装置にぜんまいを適用せずに使用者によって線形的に加えられるオープン操作力または巻き操作力を機械的に変換させてローラーを回転させる操作力変換装置を適用すれば、ぜんまいの短所である時効機能喪失による回転力の低下を心配しなくても良く、ぜんまいを使用しないことによってパッケージング空間確保の容易化、及び重量減少効果も得られる。
【００１２】
そして、巻くことができるフレキシブル表示装置に対する使用者のオープン進行速度に対応して、操作力変換装置が機械的に同期化されて回転速度調節が行われるのでローラーＡまたはローラーＢの過度な回転によるフレキシブルパネルＡまたはフレキシブルパネルＢの破れ損傷又はローラーの不足した回転によるフレキシブルパネルＡまたはフレキシブルパネルＢの垂れを防止することができる。
【図面の簡単な説明】
【００１３】
【図１】ローラーにより巻いたり、方向転換されて収納保護されるフレキシブルパネルが適用された巻くことができるフレキシブル表示装置のオープン操作時に発生するフレキシブルパネルの破れ、または垂れを示す例示図である。
【図２】本考案の実施例によるフレキシブルパネルＡ、固定ボディ、ローラーＡ、保護カバーＡ、及び操作力変換装置が適用された巻くことができるフレキシブル表示装置の斜視図、平面図、及び断面図である。
【図３】図２に示した巻くことができるフレキシブル表示装置の分解斜視図である。
【図４】図２に適用されたローラーＡの回転原理を示す概念図である。
【図５】図２に示した操作力変換装置の適用のための形状が反映されている固定ボディ、保護カバーの上板Ａ及び保護カバーの下板Ａの斜視図である。
【図６】本考案の他の実施例によるフレキシブルパネルＢ、固定ボディ、ローラーＢ、保護カバーＢ、及び操作力変換装置が適用された巻くことができるフレキシブル表示装置の斜視図、平面図、及び断面図である。
【図７】図６に示した巻くことができるフレキシブル表示装置の分解斜視図である。
【図８】図６に適用されたローラーＢの回転原理を示す概念図である。
【図９】図６に示した操作力変換装置の適用のための形状が反映されている固定ボディ、保護カバーの上板Ｂ及び保護カバーの下板Ｂの斜視図である。
【考案を実施するための形態】
【００１４】
以下の添付された図面を参照して本考案の好ましい実施例を詳細に説明する。本考案の利点及び特徴、そしてそれを具現する方法は添付される図面とともに詳細に後述されている実施例を参照すると明確になる。しかし、本考案はここで説明される実施例に限られるわけではなく、互いに異なる形で具体化されることができる。むしろ、ここで紹介される実施例は開示された内容が徹底的で、且つ完全になるように、そして当業者において本考案の思想が十分に伝えられるようにするために提供されるものであり、本考案は請求項の範疇によって定義される。明細書の全文に亘って同一参照符号は同一構成要素を指す。
【００１５】
本明細書にて使用された用語は、実施例を説明するためのものであって、本考案を制限しようとするのではない。本明細書において単数形は特に言及しない限り、複数形も含む。明細書にて使用される、含む（ｃｏｍｐｒｉｓｅｓ）及び／又は含む（ｃｏｍｐｒｉｓｉｎｇ）は、言及された構成要素、段階、動作及び／又は素子は一つ以上の他の構成要素、段階、動作及び／又は素子の存在または追加を排除しない。また、好ましい実施例に従ったため説明の手順によって提示される参照符号はその順番に必ず限定されていない。
【００１６】
図１は、ローラーによって巻いたり、または方向転換されて収納保護されるフレキシブルパネルが適用されたフレキシブル表示装置のオープン操作時に発生する前記フレキシブルパネルの破れ、または垂れることを示す例示図である。
【００１７】
前記フレキシブル表示装置において、現在まで提示された方案を調べてみると、前記ローラーの駆動方法としてモーター駆動方式、又はぜんまい駆動方式が考慮されている。
【００１８】
モーター駆動方式は、センサー感知に基づいた電気的制御を通じて正確な駆動制御を遂行することができるが、適用空間の確保問題、回転トルク確保問題、製造原価問題、及びバッテリー消耗問題のような考慮事項も発生される。
【００１９】
ぜんまい駆動方式は、モーター駆動方式に比べて正確な駆動制御は遂行できないが、製造原価問題及びバッテリー消耗問題のような事項を考慮しなくても良いという長所を有する反面、不正確な駆動制御及びぜんまいの疲労累積のようなトルク低下問題を考慮しなければならない。
【００２０】
前記に提示したモーター駆動方式、及びぜんまい駆動方式の両方において、前記図１に示されたように、前記フレキシブルパネルのオープンの進行による前記ローラーの回転及び回転速度制御は、前記フレキシブルパネルの損傷防止及び良好な画面表示のために必ず求められる。
【００２１】
前記フレキシブルパネルのオープンの進行速度に比べて前記ローラーの回転速度が速い場合、前記フレキシブルパネルには過度な張力が発生し、これによって前記フレキシブルパネルと前記ローラーの連結固定部位、または前記フレキシブルパネル自体に損傷が発生し得る。
【００２２】
さらに、前記フレキシブルパネルのオープンの進行速度に比べて前記ローラーの回転速度が遅い場合、前記フレキシブルパネルの垂れが発生し、これによって画面表示面の屈曲発生のような現象が発生する。
【００２３】
前記のモーター駆動方式とぜんまい駆動方式が有している問題点を解決し、前記モーター駆動方式が有している正確な駆動制御を遂行することができるように、本考案が考案されたものであり、これは図２乃至図９と共に実施例及び説明によって提示される。
【００２４】
図２は、本考案の実施例によるフレキシブルパネルＡ、固定ボディ、ローラーＡ、保護カバーＡ及び操作力変換装置が適用されたフレキシブル表示装置の斜視図、平面図、及び断面図であり、図３は、図２に示されたフレキシブル表示装置の分解斜視図であり、図４は、図２に適用されたローラーＡの回転原理を示す概念図であり、図５は、図２に示された操作力変換装置の適用のための形状が反映されている固定ボディ、保護カバーの上板Ａ、及び保護カバーの下板Ａの斜視図である。
図６は、本考案の他の実施例によるフレキシブルパネルＢ、固定ボディ、ローラーＢ、保護カバーＢ、及び操作力変換装置が適用されたフレキシブル表示装置の斜視図、平面図及び断面図であり、図７は、図６に示されたフレキシブル表示装置の分解斜視図であり、図８は、図６に適用されたローラーＢの回転原理を示す概念図であり、図９は、図６に示された操作力変換装置の適用のための形状が反映されている固定ボディ、保護カバーの上板Ｂ及び保護カバーの下板Ｂの斜視図である。
【００２５】
図２乃至図５を参照する。本考案の実施例によるフレキシブル表示装置（１００）は、曲がることができて画面表示機能を遂行するフレキシブルパネルＡ（１０ａ）と、前記フレキシブルパネルＡ（１０ａ）の一部分が固定支持される固定ボディ（２０）と、前記フレキシブルパネルＡ（１０ａ）の曲がり自在の部分を巻きながら一側に回転力伝達のためのギヤが形成されているローラーＡ（４０ａ）と、前記固定ボディ（２０）に摺動支持され、前記ローラーＡ（４０ａ）が内部に回転可能な状態で組み立てられ、前記フレキシブルパネルＡ（１０ａ）の部分を内部に保護する保護カバーＡ（３０ａ）と、前記フレキシブル表示装置（１００）に加えた使用者のオープンまたはフォールディング操作力を機械的に変換させて前記ローラーＡ（４０ａ）に回転力を作用させる操作力変換装置（５０）とを含む。
【００２６】
図６乃至図９を参照する。本考案の他の実施例によるフレキシブル表示装置（１００）は、パネルの移送のための移送貫通孔（１１）が一定間隔を保ちつつ直線状に形成されており、曲がることが可能な状態で画面表示機能を遂行するフレキシブルパネルＢ（１０ｂ）と、前記フレキシブルパネルＢ（１０ｂ）の一部分が固定支持される固定ボディ（２０）と、前記移送貫通孔（１１）に連続的に係止されるスプロケット状の移送突出部（４１）が一側終端の円周面の外面に形成されており、任意の中間部分には回転力伝達のためのギヤが形成されているローラーＢ（４０ｂ）と、前記固定ボディ（２０）に摺動支持され、前記ローラーＢ（４０ｂ）が内部に回転可能な状態で組み立てられ、前記ローラーＢ（４０ｂ）によって方向転換された前記フレキシブルパネルＢ（１０ｂ）部分を内部に保護する保護カバーＢ（３０ｂ）と、前記フレキシブル表示装置（１００）に加えた使用者のオープンまたはフォールディング操作力を機械的に変換させて前記ローラーＢ（４０ｂ）に回転力を作用させる操作力変換装置（５０）とを含む。
【００２７】
図２乃至図９に示された実施例のように本考案は、前記固定ボディ（２０）に固定されていない前記フレキシブルパネルＡ（１０ａ）または前記フレキシブルパネルＢ（１０ｂ）の残りの部分を巻く、または方向転換させて前記保護カバーＡ（３０ａ）または前記保護カバーＢ（３０ｂ）の内部に収納保護し、必要によって平面状態にオープンして保持させる機能を有し、これを遂行するための前記ローラーＡ（３４ａ）、または前記ローラーＢ（３４ｂ）の駆動方式は、前述のモーター駆動方式及びぜんまい駆動方式ではなく、前記操作力変換装置（５０）が適用された新たな駆動方式が適用される。
【００２８】
前記図２乃至図９に示された通り、前記操作力変換装置（５０）は回転力変換のためのネジ山（５５）、またはネジ山機能を遂行することができる突出部が形成された貫通孔を有し、前記固定のボディの一側に組み立て固定される回転転換ネジ（５１）、および前記回転転換ネジ（５１）に形成されたネジ山（５５）、またはネジ山機能を遂行することができる突出部に対応されるネジ山（５５）が、前記固定ボディ（２０）側に位置する一側終端から前記保護カバーＡ（３０ａ）側、または前記保護カバーＢ（３０ｂ）側に位置する一定範囲にわたる円周面に形成されており、前記保護カバーＡ（３０ａ）側、または前記保護カバーＢ（３０ｂ）側に位置する終端には前記ローラーＡ（４０ａ）のギヤ、または前記ローラーＢ（４０ｂ）のギヤに回転力を伝達するためのギヤ１（５３）が形成された回転ネジ（５２）を含めて構成される。
【００２９】
使用者が前記フレキシブル表示装置（１００）のオープン操作のために、使用者の人力により前記保護カバーＡ（３０ａ）、または前記保護カバーＢ（３０ｂ）を直線摺動移動させると、前記操作力変換装置（５０）はネジ原理を逆に用いて直線摺動移動力を回転力に変換させる。
前記保護カバーＡ（３０ａ）または前記保護カバーＢ（３０ｂ）の直線摺動移動力を回転力に変換させるためには、前記回転転換ネジ（５１）の中央貫通孔部分及び回転ネジ（５２）の外円周面にはネジ山（５５）が形成され、使用者が大きな力をかけなくてオープン操作を遂行することができるように、前記ネジ山（５５）のピッチは一般ネジとは違って相対的に大きい。
【００３０】
前記保護カバーＡ（３０ａ）または前記保護カバーＢ（３０ｂ）の直線摺動移動による前記ローラーＡ（４０ａ）または前記ローラーＢ（４０ｂ）の回転数設定は、前記ネジ山（５５）のピッチ値設定、前記ギヤ１（５３）と、前記ローラーＡ（４０ａ）のギヤ比、または前記ギヤ１（５３）と前記ローラーＢ（４０ｂ）のギヤ比設定を通じて決定され、回転速度は前記保護カバーＡ（３０ａ）または前記保護カバーＢ（３０ｂ）の直線摺動移動速度（オープン速度）に左右される。
【００３１】
前記保護カバーＡ（３０ａ）または前記保護カバーＢ（３０ｂ）の直線摺動移動に連係された前記操作力変換装置（５０）の回転力発生方法において、前記ギヤ１（５３）が前記ローラーＡ（４０ａ）のギヤ、または前記ローラーＢ（４０ｂ）のギヤと分離されて前記ローラーＡ（３４ａ）または前記ローラーＢ（３４ｂ）が空回りする状況が、前記回転ネジ（５２）が固定された位置を持たずに、前記保護カバーＡ（３０ａ）または前記保護カバーＢ（３０ｂ）から流動的な位置を有するときに発生しうる。このような前記ローラーＡ（３４ａ）または前記ローラーＢ（３４ｂ）の空回りする問題を予防するために、前記回転ネジ（５２）の前記ギヤ１（５３）の下段部分に位置固定係止突起（５４）を適用し、前記位置固定係止突起（５４）は、前記保護カバーＡ（３０ａ）または前記保護カバーＢ（３０ｂ）の内側に回転可能な状態で係止固定されて常に一定の位置を保持する。
【００３２】
前記図５および図９に示された通り、前記フレキシブル表示装置（１００）に前記操作力変換装置（５０）を適用するために、前記固定ボディ（２０）、及び前記保護カバーＡ（３０ａ）、または前記保護カバーＢ（３０ｂ）には関連された形状が反映される。
【００３３】
前記固定ボディ（２０）の一側には、前記回転転換ネジ（５１）が固定され、このため、前記固定ボディ（２０）の一部分が除去されて形成されたネジ固定部（２１）、および前記保護カバーＡ（３０ａ）、または前記保護カバーＢ（３０ｂ）の前記固定ボディ（２０）側に向かった摺動フォールディングによる前記回転ネジ（５２）の内部収納のために前記固定ボディ（２０）の一部分が除去されて形成されたネジ収納部（２２）とを含むことができる。
前記保護カバーＡ（３０ａ）または前記保護カバーＢ（３０ｂ）に前記フレキシブル表示装置の制御のための電子装置またはバッテリーが適用される場合、前記固定ボディ（２０）と、前記保護カバーＡ（３０ａ）または前記保護カバーＢ（３０ｂ）を電気的に連結させる手段が必要であり、そのため、前記固定ボディ（２０）の一側には曲がり自在の連結電線（２４）が適用される。
【００３４】
前記ローラーＡ（３４ａ）を回転可能な状態で内部に組み立て固定する前記保護カバーＡ（３０ａ）は、保護カバーの上板Ａ（３１ａ）及び保護カバーの下板Ａ（３２ａ）で構成され、前記位置固定係止突起（５４）が回転可能な状態で係止されて一定の位置を保持できるように前記保護カバーの上板Ａ（３１ａ）または前記保護カバーの下板Ａ（３２ａ）のいずれか一つにはネジ係止固定部（３４）が形成される。
【００３５】
前記ローラーＢ（３４ｂ）を回転可能な状態で内部に組み立て固定する前記保護カバーＢ（３０ｂ）は、保護カバーの上板Ｂ（３１ｂ）、保護カバーの下板Ｂ（３２ｂ）、および保護カバーの側面蓋（３３）で構成され、前記位置固定係止突起（５４）が回転可能な状態で係止され、一定の位置を保持することができるように前記保護カバーの上板Ｂ（３１ｂ）または前記保護カバーの下板Ｂ（３２ｂ）のいずれか一つは、ネジ係止固定部（３４）が形成され、方向転換された前記フレキシブルパネルＢ（１０ｂ）の干渉のない移動のために干渉部位が除去されて形成されたパネル経路ガイド（３６）を含む。
【００３６】
前記保護カバーの側面蓋（３３）は、組み立て容易性及び前記ローラーＢ（４０ｂ）に設けられる余分の活用空間に内容物を収納して取り出すことができる用途に使用される。
【００３７】
使用者の人力によって前記フレキシブル表示装置（１００）をオープンする時、前記固定ボディ（２０）に対する前記保護カバーＡ（３０ａ）、または前記保護カバーＢ（３０ｂ）の離脱分離可能性が存在する。このような前記保護カバーＡ（３０ａ）または前記保護カバーＢ（３０ｂ）の離脱分離防止のために一側終端は係止突起が形成された状態で前記固定ボディ（２０）に摺動可能な状態で組み立て支持され、反対側の一側終端は前記保護カバーＡ（３０ａ）または前記保護カバーＢ（３０ｂ）の一側に固定されるガイド摺動ピン（６０）が適用される。
前記保護カバーＡ（３０ａ）または前記保護カバーＢ（３０ｂ）の前記固定ボディ（２０）側に向く摺動移動の際、前記ガイド摺動ピン（６０）の前記固定ボディ（２０）の内部収納のために前記固定ボディ（２０）には前記固定ボディ（２０）の一部分が除去されて形成された摺動ピン収納部（２３）を含む。
【００３８】
前述したモーター駆動方式が適用された前記フレキシブル表示装置には、モーター制御のための感知要素として適用された様々なセンサーがあって、前記フレキシブルパネルのオープン程度を感知して前記フレキシブル表示装置が適合した表示モードを適用できるようになる。
【００３９】
しかし、前記の操作力変換装置（５０）が適用された前記フレキシブル表示装置（１００）には、前記ローラーＡ（３４ａ）または前記ローラーＢ（３４ｂ）の駆動制御のためのセンサーが適用されないので、これによって、リミットスイッチを含めた別途のセンサーが適用されない限り、前記フレキシブル表示装置（１００）がオープンの状態に適合した表示モード変更を遂行することができなくなる。
【００４０】
したがって、前記操作力変換装置（５０）が適用された前記フレキシブル表示装置（１００）においてもオープン程度に応じた適合した画面表示モード変更を遂行することができるように前記固定ボディ（２０）、または前記保護カバーＡ（３０ａ）、または前記保護カバーＢ（３０ｂ）のいずれか一方にはオープン程度を感知する距離センサーの適用を含むことができる。適用位置及び適用可能なセンサーの種類は多様なので、別途の図示は省略する。
【００４１】
また、前述した実施例は、前記固定ボディ（２０）を基準に前記保護カバーＡ（３０ａ）または保護カバーＢ（３０ｂ）が、前記固定ボディ（２０）の片方向にのみ適用された場合を例示したが、前記操作力変換装置が適用されたフレキシブル表示装置の概念は、前記固定ボディ（２０）を基準に前記保護カバーＡ（３０ａ）または保護カバーＢ（３０ｂ）が前記固定ボディ（２０）の両方向に適用される場合も可能である。機能及び構成品の基本的な概念はそのまま適用可能な同一概念であるため、別途の説明及び図示は省略する。
【００４２】
前記操作力変換装置（５０）の主要構成品として、前記固定ボディ（２０）に組み立て固定される前記回転転換ネジ（５１）は、前記固定ボディ（２０）の自体に前記回転転換ネジ（５１）の部分を含めて一体型に適用することもできる。前記操作力変換装置（５０）を含めたフレキシブル表示装置の説明及び図示の便宜性のために前記固定ボディ（２０）と、前記回転転換ネジ（５１）を分離して説明したが、前記固定ボディ（２０）の自体に前記回転転換ネジ（５１）の部分を含めて一体型に適用した場合も前記固定ボディ（２０）と、前記回転転換ネジ（５１）を分離して適用したものと同一である。
【００４３】
以上、添付された図面を参照して本考案の実施例を説明したが、本考案が属する技術分野における通常の知識を有する者は、本考案がその技術的思想や必須的な特徴を変更しなくて他の具体的な形態で実施できることが理解できるだろう。したがって、以上で記述した実施例は全ての面において例示的なものであり、限定的ではないと理解すべきである。
【符号の説明】
【００４４】
１０ａ    フレキシブルパネルＡ
１０ｂ    フレキシブルパネルＢ
１１      移送貫通孔
２０      固定ボディ
２１      ネジ固定部
２２      ネジ収納部
２３      摺動ピン収納部
２４      連結電線
３０ａ    保護カバーＡ
３０ｂ    保護カバーＢ
３１ａ    保護カバーの上板Ａ
３２ａ    保護カバーの下板Ａ
３３      保護カバーの側面蓋
３４      ネジ係止固定部
３４ａ    ローラーＡ
３４ｂ    ローラーＢ
３６      パネル経路ガイド
４０ａ    ローラーＡ
４０ｂ    ローラーＢ
４１      移送突出部
５０      操作力変換装置
５１      回転転換ネジ
５２      回転ネジ
５３      ギヤ１  
５４      位置固定係止突起
５５      ネジ山
６０      ガイド摺動ピン
１００    フレキシブル表示装置
【図１】
0003211128.tif 000003
【図２】
0003211128.tif 000004
【図３】
0003211128.tif 000005
【図４】
0003211128.tif 000006
【図５】
0003211128.tif 000007
【図６】
0003211128.tif 000008
【図７】
0003211128.tif 000009
【図８】
0003211128.tif 000010
【図９】
0003211128.tif 000011
【手続補正書】
【提出日】平成28年11月14日(2016.11.14)
【手続補正１】
【補正対象書類名】実用新案登録請求の範囲
【補正対象項目名】全文
【補正方法】変更
【補正の内容】
【実用新案登録請求の範囲】
【請求項１】
固定ボディと、
ギヤを含むローラーと、
ネジ山または突出部が長さ方向に沿って回転する形態を有し、ギヤを含む回転ネジ、及び、
前記固定ボディの一側に固定され、前記回転ネジの断面模様に対応される貫通孔を含む回転転換ネジを含み、
前記回転ネジは、前記回転転換ネジの貫通孔を貫通して位置し、
前記回転ネジのギヤは、前記ローラーのギヤと咬合して位置することを特徴とする、
フレキシブル表示装置。
【請求項２】
フレキシブルパネルに一定間隔で存在する移送貫通孔に対応して、前記ローラーの一側に形成された移送突出部を更に含むことを特徴とする請求項１に記載のフレキシブル表示装置。
【請求項３】
前記ローラーを収容する空間と前記回転ネジを係止固定させるネジ係止固定部を含む保護カバーを更に含み、前記回転ネジは、前記ネジ係止固定部に係止固定される位置固定係止突起を含むことを特徴とする請求項１に記載のフレキシブル表示装置。
【請求項４】
前記回転ネジは、前記ローラーと直角に配置されることを特徴とする請求項１に記載のフレキシブル表示装置。
【請求項５】
前記ローラーを収容する空間を含む保護カバー、及び、前記保護カバーの一側に固定されるガイド摺動ピンを更に含み、前記固定ボディは、前記ガイド摺動ピンが収納される摺動ピン収納部を含むことを特徴とする請求項１に記載のフレキシブル表示装置。
【請求項６】
前記固定ボディと前記回転転換ネジは一体型に形成されることを特徴とする請求項１に記載のフレキシブル表示装置。
【請求項７】
一側にギヤを含むローラーと、
前記ローラーのギヤと咬合するギヤを含む回転ネジと、
前記回転ネジの長さ方向に直線運動が可能な固定ボディ、及び、
前記固定ボディに固定され、前記回転ネジの断面模様に対応する貫通孔を含む回転転換ネジを含み、
前記回転ネジは、前記貫通孔を貫通して位置し、
前記貫通孔または前記回転ネジは、ネジ山または突出部を含むことを特徴とする、
フレキシブル表示装置。
【請求項８】
前記ローラーと前記固定ボディは、フレキシブルパネルの両端にそれぞれ連結されることを特徴とする請求項７に記載のフレキシブル表示装置。
【請求項９】
保護カバーと、
前記保護カバーに対して直線方向に動きが可能な固定ボディと、
前記固定ボディに固定され、ネジ山または突出部状の貫通孔を含む回転転換ネジと、
前記貫通孔の模様に対応される断面模様が長さ方向に回転する形態を有し、前記貫通孔に貫通して位置し、前記固定ボディの直線運動によって回転するギヤを含む回転ネジ、及び、
前記回転ネジのギヤと咬合して前記回転ネジのギヤの回転によって回転するギヤを含み、前記保護カバー内に位置するローラーを含むことを特徴とする、
フレキシブル表示装置。
【請求項１０】
前記ローラーと前記固定ボディは、フレキシブルパネルの両端にそれぞれ連結されることを特徴とする請求項９に記載のフレキシブル表示装置。
【請求項１１】
固定ボディと、
ネジ回転するネジ山またはネジ山機能を遂行することができる突出部が形成された貫通孔が形成されており、前記固定ボディに固定された回転転換ネジと、
前記貫通孔に回動および摺動が可能な状態で挿入組み立てられ、前記貫通孔のネジ山またはネジ山機能を遂行することができる突出部に対応される断面形状が軸方向に沿って回転形成された螺旋形成部を有する回転ネジ、及び、
前記回転ネジとギヤ結合されるローラーを含むことを特徴とする、
フレキシブル表示装置。
【請求項１２】
回転転換ネジが形成されている固定ボディと、
回転転換ネジの貫通孔に組み立てられて前記固定ボディの内側に摺動収容され、一側には回転力伝達のためのギヤが形成されている回転ネジ、及び、
回転転換ネジのギヤにギヤ結合されるギヤを有し、前記固定ボディの外に回転可能な状態で配置されるローラーを含むことを特徴とする、
フレキシブル表示装置。
【請求項１３】
保護カバーと、
回転力を伝達受けるためのギヤが形成されており、前記保護カバーの内側に収納されて回転するローラーと、
ネジ山または突出部が長さ方向に沿って回転する形態を有し、前記ローラーのギヤにギヤ結合されて回転する回転ネジと、
前記回転ネジの断面模様に対応される貫通孔を含む回転転換ネジとを含み、
前記回転ネジは、前記回転転換ネジの貫通孔を貫通して位置することを特徴とする、
フレキシブル表示装置。